(57)【特許請求の範囲】
【請求項１】
通常の新聞を可読可能に電子化したデータをその新聞の記事の領域のデータと共に作成記憶する通常新聞データ作成記憶部と、
この通常新聞データ作成記憶部において作成記憶されたデータを受信して前記可読可能に電子化された新聞データを表示画面上に表示し、その表示された新聞をタッチすることにより選択された記事を検知するタッチパネルディスプレイと、
前記通常の新聞を、このタッチパネルディスプレイの表示画面に合わせて可読可能に電子化して作成された最適化記事のデータをその見出しと共に記憶する最適化記事データ記憶部と、
前記表示画面上に表示された通常新聞のタッチされた記事に対応する最適化記事を前記最適化記事データ記憶部から検索する記事検索部と、
この記事検索部により検索された最適化記事と共に、他の記事データの見出しを前記タッチパネルディスプレイの前記表示画面上に表示させ、これらの見出しが選択されたとき、対応する最適化記事のデータを前記最適化記事データ記憶部から読み出し表示させる選択記事表示制御部と
を有することを特徴とする電子新聞表示装置。
【請求項２】
前記可読可能な電子データは、ＰＤＦ形式であることを特徴とする請求項１記載の電子新聞表示装置。
【請求項３】
前記最適化記事データ記憶部には、ＸＭＬ形式で、前記最適化記事のデータが記憶されていることを特徴とする請求項１又は２記載の電子新聞表示装置。
【請求項４】
前記記事検索部は、前記見出しにより前記最適化記事データ記憶部から検索することを特徴とする請求項１乃至３のいずれか一項記載の電子新聞表示装置。
【請求項５】
通常の新聞を可読可能に電子化したデータをその新聞の記事の領域のデータと共に通常新聞データ作成記憶部に記憶するステップと、
前記通常新聞データ作成記憶部において作成記憶された通常新聞データをタッチパネルディスプレイの表示画面上に表示するステップと、
前記表示画面上に表示された通常新聞の記事にタッチすることにより選択された記事を、タッチパネルディスプレイの表示画面に合わせて可読可能に電子化して作成された最適化記事のデータをその見出しと共に記憶する最適化記事データ記憶部から検索するステップと、
このステップにより検索された最適化記事と、他の記事データの見出しを前記タッチパネルディスプレイの画面上に表示させるステップと、
前記他の記事データの見出しが選択されたとき、対応する最適化記事のデータを前記最適化記事データ記憶部から読み出し表示させるステップと、
を有することを特徴とする電子新聞の表示方法。
【請求項６】
通常の新聞を可読可能に電子化したデータをその新聞の記事の領域のデータと共に通常新聞データ作成記憶部に記憶するステップと、
前記通常新聞データ作成記憶部において記憶された通常新聞データをタッチパネルディスプレイの表示画面上に表示するステップと、
前記表示画面上に表示された通常新聞の記事にタッチすることにより選択された記事を、タッチパネルディスプレイの表示画面に合わせて可読可能に電子化して作成された最適化記事のデータをその見出しと共に記憶する最適化記事データ記憶部から検索するステップと、
このステップにより検索された最適化記事と、他の記事データの見出しを前記タッチパネルディスプレイの画面上に表示させるステップと、
前記他の記事の記事データの見出しが選択されたとき、対応する最適化記事のデータを前記最適化記事データ記憶部から読み出し表示させるステップと、
をコンピュータに実行させることを特徴とする電子新聞の表示プログラム。
【発明の詳細な説明】
【技術分野】
【０００１】
本発明の実施形態は、電子新聞表示装置、電子新聞の表示方法及びその表示プログラムに関する。
【背景技術】
【０００２】
最近は、電子新聞を表示面に表示するモバイル電子装置などの小型の表示装置が知られている。これらの表示装置では、電子新聞をダウンロードしてどこででも読むことができて便利である。
【０００３】
しかし、単に電子化した新聞を表示装置により表示する場合、通常の新聞は広げて全体を見渡せることを前提として記事を配置しているので、特に表示画面が小さい装置では、各記事を読むとき、限られた表示画面内で画像を移動させて読まなければならず、非常に読みにくい。
【発明の概要】
【発明が解決しようとする課題】
【０００４】
本発明は、表示画面が限られている機器でも、電子新聞の記事を読みやすい電子新聞表示装置、電子新聞の表示方法及びその表示プログラムを提供する。
【課題を解決するための手段】
【０００５】
実施形態によれば、通常の新聞を可読可能に電子化したデータをその新聞の記事の領域のデータと共に作成記憶する通常新聞データ作成記憶部と、この通常新聞データ作成記憶部において作成記憶されたデータを受信して前記可読可能に電子化された新聞データを表示画面上に表示し、その表示された新聞をタッチすることにより選択された記事を検知するタッチパネルディスプレイと、前記通常の新聞を、このタッチパネルディスプレイの表示画面に合わせて可読可能に電子化して作成された最適化記事のデータをその見出しと共に記憶する最適化記事データ記憶部と、前記表示画面上に表示された通常新聞のタッチされた記事に対応する最適化記事を前記最適化記事データ記憶部から検索する記事検索部と、この記事検索部により検索された最適化記事と共に、他の記事データの見出しを前記タッチパネルディスプレイの前記表示画面上に表示させ、これらの見出しが選択されたとき、対応する最適化記事のデータを前記最適化記事データ記憶部から読み出し表示させる選択記事表示制御部とを有することを特徴とする電子新聞表示装置を提供する。
【図面の簡単な説明】
【０００６】
【図１】一実施形態の電子新聞表示装置の構成を示す図である。
【図２】一実施形態の電子新聞表示装置における通常新聞データ作成記憶部の構成例を示す図である。
【図３】一実施形態の電子新聞表示装置におけるモバイル電子機器の構成例を示す図である。
【図４】一実施形態の電子新聞表示装置における最適化記事データ記憶検索部の構成例を示す図である。
【図５】一実施形態の電子新聞表示装置の動作を説明するためのフローチャートを示す図である。
【図６】一実施形態の電子新聞表示装置において、通常新聞における各記事の領域を説明するための図である。
【図７】一実施形態の電子新聞表示装置におけるモバイル電子機器の表示画面に表示される最適化記事と見出しの表示例を示す図である。
【図８】一実施形態の電子新聞表示装置において、最適化記事のデータの例を示す図である。
【発明を実施するための形態】
【０００７】
以下、実施形態について図面を用いて説明する。図１に一実施形態の電子新聞表示装置の構成を示す。
【０００８】
この電子新聞表示装置は、新聞記事を表示し、表示画面がタッチするとその位置を認識するタッチパネルディスプレイ（ＴＰＤ）を有するモバイル電子機器１１と、このＴＰＤ１１の表示画面に可読可能に表示する通常形式新聞記事のＰＤＦの記事データを記憶する通常新聞データ作成記憶部１２と、この電子新聞表示装置に最適な形式でＰＤＦにより編集された最適化記事の新聞名、朝刊夕刊の別、頁、及び見出しと本文のデータを記憶している最適化記事データ記憶検索部１３と、上記モバイル電子機器１１の表示画面上でユーザがタッチした位置に基づいて、最適化記事データ記憶検索部１３に記憶されている記事を検索する記事検索部１４とを有する。ここで通常新聞は、通常のペーパーとして配達される形式の新聞をいい、例えば縦書きになっている。一方、最適化記事は、各記事がモバイル電子機器の表示に適するように記事毎に見出しが付き、所定範囲で例えば横書きに表示されるようになっている。モバイル電子機器１１は例えば、スマートフォンである。
【０００９】
記事検索部１４により検知された最適化記事データは、モバイル電子機器１１に送られて表示される。
【００１０】
通常新聞データ作成記憶部１２の構成例を図２に示す。通常新聞データ作成記憶部１２に記憶されるデータは、購読する各家庭に配達される新聞をそのまま（通常）の形式でＰＤＦ化した新聞のデータと、それらの各記事の領域を座標として記憶し対応する見出しのデータから成る。
【００１１】
通常新聞データ作成記憶部１２は、通常の新聞をそのままＰＤＦ化する通常新聞ＰＤＦ化部２１と、通常新聞ＰＤＦ化部２１でＰＤＦ化されたデータを入力として、各記事の領域を作成する記事領域作成部２２と、記事領域作成部２２で作成された領域の各記事の見出しを作成する記事見出し作成部２３と、これら各部で作成された通常新聞のＰＤＦ、記事領域、記事見出しのデータを記憶する通常新聞データ記憶部２４とを有する。
【００１２】
記事領域作成部２２は、通常新聞ＰＤＦ化部２１からのＰＤＦデータの各記事の角の座標を検知し、その角の座標間を直線で引いて記事の領域を作成する。例えば、図６に示すように、○○新聞ＮＰの記事Ａの点Ｐ１，Ｐ２，Ｐ３，Ｐ４の４点の座標を求めて、その間の領域として記事の領域を定義する。この記事Ａには、通常、大きな文字で最初に見出しが付いているが、記事見出し作成部２３は、作成された記事の領域に、通常の新聞に予め付いているこの見出しＡ１を用いてもよいし、記事の内容から判断して適当な見出しＡ２をつけてもよい。両方の見出しを付けるようにしてもよい。図６に示す点線枠６２は、通常新聞がモバイル電子機器１１の表示画面に表示される部分を表している。
【００１３】
通常新聞ＰＤＦ化部２１にて作成されたＰＤＦデータと、記事領域作成部２２にて作成された、各記事に対応する領域座標セット、及び記事見出し作成部２３にて作成された記事見出しは、通常新聞データ記憶部２４に送られてここに一旦記憶され、モバイル電子機器１１に送られる。
【００１４】
モバイル電子機器１１は、例えば図３に示すように、ＰＤＦ化された通常新聞を表示する表示画面を有する表示部３１と、表示画面に表示されたＰＤＦの表示に指やタッチペンで接触した座標を検知する接触座標検知部３２と、この検知された領域の各記事の見出しを、その新聞名、日にち、朝刊、夕刊の別、その頁と共に記憶する記事見出し記憶部３３とを有する。
【００１５】
モバイル電子機器１１の記事見出し検知部３３から記事検索部１４には、ユーザにより見たいとして選択された記事の見出しが送られる。記事検索部１４は、その選択された記事見出しを最適化記事データ記憶検索部１３に記憶されているデータから検索する。
【００１６】
なお、通常新聞の各記事は新聞名、日付、頁、見出しにより特定され、最適化記事データ記憶検索部１３から検索される。最適化記事データ記憶検索部１３は、例えば図４に示すように、モバイル機器での表示に適するように最適化した新聞のＰＤＦデータと、それらの見出しが記憶されている最適化記事データ記憶部４１と、最適化記事の見出しが検索可能に記憶されている最適化記事見出しデータベース（ＤＢ）４２と、この最適化記事見出しＤＢ４２で検索された記事と、そのページの見出しを所定の形式で表示できるように出力する表示形式指定部４３を有する。
【００１７】
表示形式指定部４３で指定されたＰＤＦの記事と見出しは、例えば図７に示すようにモバイル電子機器１１の表示画面上に表示される。表示画面上の上部は、先に選択された見出しのこのモバイル電子機器に適合された表示形式のＰＤＦ表示ａであり、その下に、その頁に掲載された記事の見出しが列挙表示されている。記事ａは、通常新聞の記事Ａが最適化された新聞の記事である。７２ａは、表示されているその記事の見出し表示であり、その見出しの前の四角には、カテゴリが表示される。その上下に他の見出し７２ｂ，７２ｃ，７２ｄ，７２ｅ，７２ｆが表示されている。
【００１８】
したがってユーザは、先に選択した記事を読んだ後、下方に表示された記事の見出しにタッチして選択し、その見出しの記事を素早く表示して読むことができる。
【００１９】
このように、モバイル電子機器１１のタッチパネルディスプレイ機能を有する表示画面では、通常新聞の記事の表示及び記事の選択と、選択された最適化記事とそれら前後の記事の見出しを表示することができることになる。
【００２０】
ここで最適化記事について説明する。最適化記事とは、受信するモバイル電子機器の表示画面上で最も見やすいような形式にされた記事であり、通常ＰＤＦの形式で表される。例えば、送信されたデータを受信するモバイル機器の表示画面上では、所定の文字の大き３段で表示されると最も見やすいならば、各記事はこのような形式でＰＤＦ化されて、上記通常新聞のＰＤＦ化記事の後に付けて送られ、各記事の頁はＸＭＬ形式で付随情報として、上記モバイル機器に送信される。
【００２１】
最適化記事見出しＤＢに記憶されている形式の例を、図８に示す。このデータはＸＭＬ形式で記述されている。
【００２２】
図８では、開始タグ＜article_xml＞と終了タグ＜/article_xml＞の中に、各記事が記述される。このタグの中にtitle, agenda, article等が入り、更に、開始タグ＜article table＞と終了タグ＜/article table＞の中にその記事の領域を、ｘ軸とｙ軸の座標で規定する。
【００２３】
図８の例では、２０１０年１０月２４日の新聞で、１頁から５頁の中に、ＩＤが１の記事が６頁から８頁まであり、そのカテゴリが「主要」で、見出しは「主要先進国首脳会議が開催される」であることが示され、このＩＤ＝１の記事は、（０，０）から（１１４０，１２２０）の領域にあることを示している。またＩＤ＝２の記事は、カテゴリが「コラム」で、９頁に掲載されていることを示している。
【００２４】
このようにして、モバイル電子機器１１で指定された上述の見出しが、最適化記事見出しＤＢ４２内で検索されその最適化記事がこのモバイル電子機器１１の画面上に表示されその記事の見出し及びその前後の記事の見出しが、画面上の下部に表示される。
【００２５】
次にこの実施形態の動作を、図５に示すフローチャートに基づいて説明する。ＰＤＦ化された通常新聞と各記事の見出し及びＰＤＦ化された各最適化記事は予め作成され、通常新聞データ作成記憶部１１２及び、最適化記事データ記憶検索部１３に記憶されている。
【００２６】
ステップＳ５０１で、通常組版の新聞（通常新聞）をモバイル電子機器１１の表示画面上に表示する。ユーザはその新聞を見て、読みたい記事の領域内をポインタ等でタッチする。ステップＳ５０２で記事の枠内がタッチにより特定されたことが検知されると、図３に示す接触座標検知部３２は、そのタッチされた座標を検知し、記事見出し検知部３３に送りその点が含まれる記事の見出しを検知する。該当する記事見出しは、モバイル電子機器１１から記事検索部１４に送られる。
【００２７】
ステップＳ５０３で、記事検索部１４はその記事見出しを、最適化記事データ記憶検索部１３の最適化記事見出しＤＢ４２内で検索する。次のステップＳ５０４では、検索された見出しに対応する最適化記事ＰＤＦを最適化記事データ記憶部４１に指示し、表示形式指定部４３を通してモバイル電子機器１１に送る。このとき、この記事の前後の記事の見出しも、最適化記事見出しＤＢ４２から表示形式指定部４３を介してモバイル電子機器１１に送られる。
【００２８】
表示形式指定部４３は、例えば図７に示すように、記事の内容と記事見出しの表示形式を指定するところである。
【００２９】
ユーザが、ステップＳ５０４で表示された最適化記事を読み終わって、次のステップＳ５０５では、見出しが特定（タッチ）されるかどうかを検知する。これはモバイル機器１１の表示画面上で例えば、次の見出しの記事を読みたいとき、記事見出し７２ｄを選択することを意味する。
【００３０】
このようにして記事見出しが指定されると、次のステップ５０６で、モバイル機器１１の記事見出し検知部３３でその見出しが、記事検索部１４に送られる。記事検索部１４では、最適化記事見出しＤＢ４２でこの見出しが検索され、最適化記事データ記憶部４１から該当記事が読み出されて表示形式指定部４３で指定される表示形式で、モバイル電子機器１１の表示画面上に表示される。
【００３１】
ステップＳ５０５で見出しが特定されないときにはステップＳ５０７に移り、終了アイコン７４がタッチされると、新聞の表示を終了する。またステップＳ５０６で、選択された見出しの記事が表示されたときにもステップＳ５０７で終了アイコン７４がタッチされると、新聞の表示を終了する。ステップＳ５０７で終了アイコンがタッチされないで所定時間経つと再びステップＳ５０５に戻る。
【００３２】
なお、モバイル電子機器の表示画面上に終了アイコン以外に、通常新聞に戻るアイコンを設けて、このアイコンにタッチすれば、ステップＳ５０１に戻るようにすることも可能である。このようにすれば、通常新聞から記事を探し出して最適化記事を見ることを繰り返すことができる。
【００３３】
以上述べたようにこの実施形態によれば、通常新聞の各記事をモバイル電子機器の表示画面に合わせて表示することができる。
【００３４】
また表示画面上に、各見出しも表示するようにすれば、最適化された記事を即座に表示画面上に表示することができ、新聞記事を見やすいモバイル電子機器が得られる。
【００３５】
ここで、モバイル電子機器とは、スマートフォンなど表示画面を有し持ち運び可能な小型の電子機器をいい、通信出来るかどうかを問わない。本発明を適用するこの電子機器は必ずしも小型である必要もなく、一般的には電子新聞表示装置に適用できる。
【００３６】
上記実施形態では、最適化記事データ記憶検索部に最適化記事のデータがＸＭＬ形式で記憶されている場合について説明した。しかし、データの検索が可能であれば、他の形式で記憶されていてもよい。
【００３７】
上記実施形態では、モバイル電子機器の外に、通常新聞データ作成記憶部、記事検索部、最適化記事データ記憶検索部が設けられている場合について説明した。しかし、これらの各部がモバイル電子機器内に有していてもよい。
【００３８】
上記実施形態では、最適化記事を画面の上部に表示し、その下に見出しを横書きで表示するようにした。しかし、この形式は図４に示す表示形式指定部で変更可能であり、この形式をユーザが選択できるようにすることも可能であり、ユーザの好みに合わせた表示が可能である。
【００３９】
なお、「可読可能に電子化された新聞データ」とは、例えば通常新聞をＰＤＦ化したものをいい、「可読可能に電子化された最適化記事のデータ」とは例えば、当該記事をその受信したモバイル電子機器にて読みやすい形式で例えばＰＤＦ化したものをいう。「可読可能」とは人間が読める形式で表示可能なものをいい、例えばＰＤＦであるがこれに限られない。
【００４０】
上記実施形態では、通常の新聞をＰＤＦ化し、表示画面に最適化した記事もＰＤＦ化した場合について説明した。しかし、本発明はＰＤＦ化する場合に限られず、一般的には可読可能に電子化されればよい。また、ここでいう最適化記事とはそのモバイル電子機器のみに適した形式だけでなく、共通の電子機器に適するように電子化された記事も含まれる。
【００４１】
上記実施形態では、電子新聞表示装置について説明したが、これを方法によりあるいは、プログラムにより実現することも可能である。
【００４２】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１１・・・・モバイル電子機器、
１２・・・・通常新聞データ作成記憶部、
１３・・・・最適化記事データ記憶検索部、
１４・・・・記事検索部、
２１・・・・通常新聞ＰＤＦ化部、
２２・・・・記事領域作成部、
２３・・・・記事見出し作成部、
２４・・・・通常新聞データ記憶部、
３１・・・・表示部、
３２・・・・接触座標検知部、
３３・・・・記事見出し検知部、
４１・・・・最適化記事データ記憶部、
４２・・・・最適化記事見出しＤＢ、
４３・・・・表示形式指定部。
【図１】
0005804874.tif 000002
【図２】
0005804874.tif 000003
【図３】
0005804874.tif 000004
【図４】
0005804874.tif 000005
【図５】
0005804874.tif 000006
【図６】
0005804874.tif 000007
【図７】
0005804874.tif 000008
【図８】
0005804874.tif 000009